(57)【特許請求の範囲】
【請求項１】
遊技媒体が流下可能な遊技領域が表面に形成された遊技盤と、
前記遊技盤の後方に取り付けられ、遊技者に対して動作演出及び／又は光演出を提供する役物ユニットと、
前記役物ユニットと前記遊技盤との位置決めのための位置決め構造と、を有する遊技機であって、
前記位置決め構造は、
前記役物ユニット及び前記遊技盤のいずれか一方において、他方に向けて突出するように配置された複数の第１位置決めボスと、
前記役物ユニット及び前記遊技盤のいずれか他方において、前記位置決めボスの配置に対応して形成された複数の第１位置決め穴と、を有し、
前記複数の第１位置決めボスは、第１突出長を有する複数の第１大径ボスと、該第１大径ボスよりも小径とされかつ前記第１突出長よりも短い突出長の複数の第１小径ボスと、を有し、
前記複数の第１位置決め穴は、第１穴深さとされて前記第１大径ボスが挿入される複数の第１大径穴と、前記第１穴深さ以下の穴深さとされて前記第１小径ボスが挿入される複数の第１小径穴と、を有し、
前記役物ユニットと前記遊技盤との位置決めの際に、前記第１大径ボスが前記第１大径穴に挿入され、かつ、前記第１小径ボスが前記第１小径穴に挿入されるようになっており、
前記第１大径ボスの第１突出長は、前記役物ユニット及び前記遊技盤のいずれか他方の厚さ寸法よりも短くされている、遊技機。
【請求項２】
前記複数の第１大径ボスの個数が前記複数の第１大径穴の個数以下であり、
前記複数の第１小径ボスの個数が前記複数の第１小径穴の個数未満である、請求項１に記載の遊技機。
【請求項３】
前記第１大径ボスの個数が前記第１小径ボスの個数未満である、請求項１又は請求項２に記載の遊技機。
【請求項４】
遊技媒体が流下可能な遊技領域が表面に形成された遊技盤と、
前記遊技盤の後方に取り付けられる基盤部材と、
前記基盤部材と前記遊技盤との位置決めのための位置決め構造と、を有する遊技機であって、
前記位置決め構造は、
前記基盤部材及び前記遊技盤のいずれか一方において、他方に向けて突出するように配置された複数の第２位置決めボスと、
前記基盤部材及び前記遊技盤のいずれか他方において、前記位置決めボスの配置に対応して形成された複数の第２位置決め穴と、を有し、
前記複数の第２位置決めボスは、第２突出長を有する複数の第２大径ボスと、該第２大径ボスよりも小径とされかつ前記第２突出長よりも短い突出長の複数の第２小径ボスと、を有し、
前記複数の第２位置決め穴は、第２穴深さとされて前記第２大径ボスが挿入される複数の第２大径穴と、前記第２穴深さ以下の穴深さとされて前記第２小径ボスが挿入される複数の第２小径穴と、を有し、
前記基盤部材と前記遊技盤との位置決めの際に、前記第２大径ボスが前記第２大径穴に挿入され、かつ、前記第２小径ボスが前記第２小径穴に挿入されるようになっており、
前記第２大径ボスの第２突出長は、前記基盤部材及び前記遊技盤のいずれか他方の厚さ寸法よりも短くされている、遊技機。
【発明の詳細な説明】
【技術分野】
【０００１】
遊技機に関する。
【背景技術】
【０００２】
パチンコ機等の遊技機においては、弾球された遊技球が遊技領域（遊技盤の表面に形成されて遊技球が流下可能な領域であって、遊技球の流下による遊技や演出を実現するための領域。）を流下して、その流下の過程で遊技球が遊技領域内の遊技釘や風車に衝突しつつ転回して流下方向が変化する。その結果、遊技領域上に配置された各種入賞口に遊技球が入賞すれば所定の賞球の払出しがされ、一方いずれの入賞口にも入賞せずアウト口に遊技球が流入すれば賞球の払出しはされない。遊技者は、弾球における自らの技量を発揮して、又は遊技球の流下における偶然性を利用しつつ遊技球の入賞及び賞球の払出しを期待し、遊技を楽しむのである。
【０００３】
このようなパチンコ機において、遊技盤を透明に形成する構成が提案されている（例えば、特許文献１，２を参照。）。この特許文献１，２に開示の構成においては、透明な遊技盤に対して他の遊技用部品を取り付ける際に、その位置決めとして位置決め用ボスと位置決め穴とが用いられている。
【先行技術文献】
【特許文献】
【０００４】
【特許文献１】特開２０１１−０９２５８８号公報
【特許文献２】特開２０１１−０９２５８９号公報
【発明の概要】
【発明が解決しようとする課題】
【０００５】
遊技盤に取り付けられる取付部品の大きさや形状によっては、取付部品のうちの特定部分において撓みや歪みが生じる場合がある。そうすると、取付部品の全体としての位置決めが正確に行われたとしても、特定部分については撓みや歪みに起因して取付位置にずれが発生してしまう可能性がある。したがって、取付けの際に、全体としての位置決めに加え、特定部分における位置ずれを防止するための位置決めが可能な構造が望まれている。
【０００６】
また、パチンコ機においては、共通の遊技機枠に対し異なる種類の遊技盤を使用することがある。遊技盤の種類が異なると、その設計配置上の観点から位置決めボスや位置決め穴の配置位置が異なってしまう場合があるが、取付部品は共通で使用したいという要望もある。
【０００７】
本願発明は、上記の事情に鑑みて為されたもので、遊技盤と取付部品との位置決め、又は取付部品と他の取付部品との位置決めにおいて、全体としての位置決めが可能であることに加え、特定部分における位置ずれを防止することのできる位置決め構造を有する遊技機を提供することを例示的課題とする。
【課題を解決するための手段】
【０００８】
上記の課題を解決するために、本願発明の例示的側面としての遊技機は、遊技媒体が流下可能な遊技領域が表面に形成された遊技盤と、遊技盤の後方に取り付けられる後方ユニットと、基盤部材と遊技盤との位置決めのための位置決め構造と、を有している。その位置決め構造は、後方ユニット及び遊技盤のいずれか一方において、他方に向けて突出するように配置された複数の第１位置決めボスと、後方ユニット及び遊技盤のいずれか他方において、位置決めボスの配置に対応して形成された複数の第１位置決め穴と、を有している。複数の第１位置決めボスは、第１突出長を有する複数の第１大径ボスと、第１大径ボスよりも小径とされかつ第１突出長よりも短い突出長の複数の第１小径ボスとを有している。複数の第１位置決め穴は、第１穴深さとされて第１大径ボスが挿入される複数の第１大径穴と、第１穴深さ以下の穴深さとされて第１小径ボスが挿入される複数の第１小径穴とを有している。後方ユニットと遊技盤との位置決めの際に、第１大径ボスが第１大径穴に挿入され、かつ、第１小径ボスが第１小径穴に挿入されるようになっている。第１大径ボスの第１突出長は、後方ユニット及び遊技盤のいずれか他方の厚さ寸法よりも短くされている。
【０００９】
本発明の更なる目的又はその他の特徴は、以下添付図面を参照して説明される好ましい実施の形態によって明らかにされるであろう。
【発明の効果】
【００１０】
遊技盤と取付部品との位置決め、又は取付部品と他の取付部品との位置決めにおいて、全体としての位置決めが可能であることに加え、特定部分における位置ずれを防止することのできる位置決め構造を有する遊技機を提供することができる。
【図面の簡単な説明】
【００１１】
【図１】実施形態１に係るパチンコ機の正面図である。
【図２】図１に示すパチンコ機の外観斜視図である。
【図３】図１に示すパチンコ機においてガラス枠１２を前方開放した状態の外観斜視図である。
【図４】前枠と遊技盤ユニットとを前後に分解した分解斜視図である。
【図５】遊技盤ユニットにおいて、遊技盤をスペーサに対して前方開放した状態を示す外観斜視図である。
【図６】実施形態１における位置決め構造を説明するための模式断面図であって、（ａ）は、大径ボスと大径穴の模式断面図であり、（ｂ）は小径ボスと小径穴の模式断面図である。
【図７】遊技盤６の背面図である。
【図８】スペーサの正面図である。
【図９】実施形態２に係る遊技盤ユニットにおいて、スペーサを後方ユニットに対して前方開放した状態を示す外観斜視図である。
【図１０】実施形態２における位置決め構造を説明するための模式断面図であって、（ａ）は、大径ボスと大径穴の模式断面図であり、（ｂ）は小径ボスと小径穴の模式断面図である。
【実施するための形態】
【００１２】
［実施形態１］
以下、実施形態１について図面を用いて説明する。図１は、実施形態１に係る遊技機としてのパチンコ機２の正面図であり、図２は、図１に示すパチンコ機２の外観斜視図である。
【００１３】
パチンコ機２は、遊技機枠３、遊技盤ユニット５、ガラス枠１２、発射ユニット（不図示）、球皿１４を有している。遊技盤ユニット５の一部である遊技盤６の表面に形成された遊技領域１６に向けて、発射ユニットによって１球ずつ遊技球（遊技媒体）２３が発射可能とされている。
【００１４】
パチンコ機２は、後述する発射装置ハンドル１５を遊技者が操作することによって、遊技領域１６に向けて遊技球が発射され、遊技球の流下による遊技が実現される。なお、遊技機は、パチンコ機２の他にパチンコ式スロットマシン機（いわゆるパロット機）、コインゲーム機等のアーケードマシン、各種ゲーム機を概念することができ、要するに、遊技媒体の流下による遊技を実現する遊技領域を有するあらゆる遊技機が含まれる。また、パチンコ機においても、アレンジボール機、雀球機等の組合せ式パチンコ機、いわゆるデジパチタイプ（１種タイプ）やハネモノタイプ（２種タイプ）のパチンコ機等のあらゆるパチンコ機を概念することができる。
【００１５】
本願においては、一般的な方向の定義として、パチンコ機を正面（遊技者側）から見た場合における方向で上下左右方向を定義する。また、遊技者からパチンコ機に向かう方向を後方、パチンコ機から遊技者に向かう方向を前方と定義する。部材やユニット等の詳細部分については、個別に別方向の名称を用いる場合もある。また、遊技球２３が遊技領域１６を流下する場合、原則として流下方向（下方）が下流側であり、逆方向（上方）が上流側となるが、下流、上流の概念は上下に限定されず、あくまで遊技球の流下する方向を下流側と定義する。
【００１６】
パチンコ機２の遊技機枠３は、後述する遊技盤ユニット５を保持するためのもので、このパチンコ機２の周囲側面及び前方又はそれに加えて後方を囲むように構成される。遊技機枠３の内側には、遊技盤ユニット５の他にも各種制御基板や遊技球２３用の通過経路等各種機構部品が配置され、遊技機枠３によって周囲側面及び前方又はそれに加えて後方からのパチンコ機２内部側への不正アクセスが防止されるようになっている。
【００１７】
パチンコ機２の周囲を囲む外枠４、その内側にヒンジ２２によって前方開閉可能に揺動支持されて遊技盤ユニット５を保持する前枠９、前枠９の前方にヒンジ２２によって前方開閉可能に揺動支持されガラス１０及びその周囲を装飾する装飾部材３２を保持するガラス枠１２、を有して遊技機枠３が構成される。なお、ガラス１０は、遊技機枠３内部側に保持された遊技盤６を前方から遊技者が視認することができるようにするための透明部材である。
【００１８】
ガラス１０は、遊技盤６に対して一定距離以上離間して配置された透明板である。ガラス１０は、２枚の透明平板ガラスが前後に配置されてガラス枠１２の裏面側に保持され、遊技盤６との間に遊技球２３が流下する流下空間を形成する機能、遊技者がガラス１０を通して遊技盤６を視認できるように視認性を確保する機能、遊技者が遊技盤６に不正にアクセス（接触）できないようにする不正アクセス防止機能、を発揮する。ガラス枠１２には、略中央に大きく中央開口が形成されており、その中央開口の周囲を囲むように装飾部材３２が配置されており、中央開口を塞ぐようにガラス１０が配置されている。
【００１９】
球皿１４は、遊技者の持ち球を貯留するためにパチンコ機２の前面に配置された皿部材であって、本実施形態１においては上球皿１４ａと下球皿１４ｂとを有している。上球皿１４ａは遊技盤６の下方、すなわちガラス枠１２の下方部分に配置され、下球皿１４ｂは、その上球皿１４ａの更に下方に配置されている。
【００２０】
発射ユニットは、球送り装置（不図示）によって球皿１４の一部としての上球皿１４ａから発射位置に送り出された遊技球２３を遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、前枠９に取り付けられている。その発射ユニットによる球発射のため、遊技者の操作に基づいて球発射のオンオフ及びその発射強度調整を実現する発射装置ハンドル１５がパチンコ機２の前面下方に設けられている。
【００２１】
図３は、図１に示すパチンコ機２においてガラス枠１２を前方開放した状態の外観斜視図である。ガラス枠１２を前方開放すると、前枠９に保持された遊技盤ユニット５の遊技領域１６が前方に露出する。このパチンコ機２においては、前枠９の後方から遊技盤ユニット５が取り付けられ、前枠９の略中央に大きく開口形成された中央開口９ａに遊技領域１６が臨むようになっている。なお、このパチンコ機２では、中央開口９ａの内側面の一部が外レール２６ａとして機能しており、発射ユニットによって発射された遊技球２３が外レール２６ａによって遊技領域１６の上部に向けて案内されるようになっている。
【００２２】
図４は、前枠９と遊技盤ユニット５とを前後に分解した分解斜視図である。図４においては、遊技盤ユニット５も、遊技盤６、スペーサ（基盤部材）１１、後方ユニット（役物ユニット）１３に分解して示している。
【００２３】
前枠９は、ガラス枠１２の後方に位置し、ヒンジ２２を介して外枠４に軸支され、ヒンジ２２を中心として前後に揺動開閉可能とされている。前枠９の後方に遊技盤ユニット５が保持されるようになっており、前枠９の中央開口９ａから遊技領域１６が前方に臨むようになっている。遊技盤ユニット５は、前方ユニット８、遊技盤６、スペーサ１１、後方ユニット１３を有して大略構成されている。前方ユニット８は、遊技盤６の表面（遊技盤面）６ａに取り付けられる部品であり、例えば、遊技領域１６を囲むように配置されるレール飾り２６、遊技盤６に開口形成されたセンター開口６ｂの周囲を囲むセンター役物７、始動入賞口２９等を含む。
【００２４】
遊技盤６は、表面に遊技領域１６を形成する盤状部材であり、その略中央位置には、後方ユニット１３の一部や演出表示装置（不図示）を臨ませるためのセンター開口６ｂが形成されている。遊技盤表面６ａには、流下する遊技球２３の流下経路を変更させることにより遊技を演出するための、多数の遊技釘や風車等（いずれも不図示）も配置されている。遊技盤６は、アクリル等の樹脂で形成され、かつ、透光性を有しており、特に本実施形態１においては透明である。
【００２５】
スペーサ１１は、遊技盤６の後方に取り付けられる平板状の樹脂部材である。本実施形態１においては、スペーサ１１は黒色であって不透光とされており、その後方が遊技者から視認できないようになっている。スペーサ１１は、図４に示すように、周囲において連続し、かつ中央が開口したいわゆるドーナツ形状を呈しており、遊技盤６の周囲における後面を支持している。またスペーサ１１は、側面の少なくとも一部を覆うように位置している。
【００２６】
スペーサ１１は、前枠９に遊技盤６を取り付ける際の補助部材として機能する。前枠９に取付け可能な遊技盤の前後方向における厚さは、本実施形態１に係る遊技盤６の厚さよりも厚い。そのため、遊技盤６にスペーサ１１を取り付けて遊技盤ユニット５全体としての取付け部分における厚さを増大させて、前枠９に取付け可能な厚さと一致させている。それにより、この遊技盤６をスペーサ１１と共に前枠９に適正に取り付けることができるようになっている。
【００２７】
もちろん、遊技盤６の前後方向における厚さが、少なくとも前枠９への取付部分において厚く形成されていれば、スペーサを用いることなく遊技盤６を前枠９に取り付けることが可能である。この場合においては、後述するように、スペーサを不要として、遊技盤６の後面６ｇに後方ユニット１３を取り付けることも可能である。
【００２８】
後方ユニット１３は、スペーサ１１の後方に取り付けられる遊技演出用の役物ユニットである。後方ユニット１３は、動作演出や光演出によって遊技者に対して演出を提供するためのもので、その一部がセンター開口６ｂから前方に露出するように配置されて遊技者に呈示される。また、後方ユニット１３の中央開口１３ａには、その後方に取り付けられる演出表示装置の表示面が位置するようになっている。この遊技盤６は透明であるので、センター開口６ｂ以外の部分においても遊技盤面６ａを透過してその後方にある後方ユニット１３が遊技者から視認できるようになっている。
【００２９】
図５は、遊技盤ユニット５において、遊技盤６をスペーサ１１に対して前方開放した状態を示す外観斜視図である。図５においては、遊技盤６及びスペーサ１１の左側辺６ｅ，１１ａ側を中心として右側辺６ｆ，１１ｂ側を前後に大きく開放した状態を示している。
【００３０】
遊技盤６は、平面視において大略四角形状とされた盤状部材であり、透明樹脂によって形成されている。遊技盤６の前後厚さは、本実施形態１においては例示的に１０ｍｍとされている。遊技盤６には、後方ユニット１３や演出表示装置を前方に露出させるためのセンター開口６ｂが形成されており、その他にも始動入賞口２９用の開口２９ａや各種入賞口用の開口６ｃ、アウト口用の切欠き６ｄ等が形成されている。この遊技盤６の前面側である遊技盤面６ａには、多数の遊技釘や各種入賞口（いずれも不図示）、前方ユニット８等が配置される。
【００３１】
遊技盤６の後面６ｇ側にはスペーサ１１が取り付けられる。スペーサ１１は、遊技盤６の周囲と側面を保持する平板状の樹脂部材である。スペーサ１１は、その後方が遊技者から視認不可となるように不透明とされており、本実施形態１においては黒色である。スペーサ１１は、主として遊技盤６の撓みや歪みの発生を防止して補強するための補強機能と、遊技盤６の前枠９への取付けを補助する取付け補助機能とを有している。
【００３２】
本実施形態１における遊技盤６は、厚さが１０ｍｍとされているので、厚さ１９ｍｍの従来の遊技盤に比較して前後厚さが薄い。遊技盤６にスペーサ１１を取り付けることで遊技盤６が補強され、その撓みや歪みの発生が効果的に防止されている（補強機能）。また、従来の１９ｍｍ厚さの遊技盤が取付可能な前枠９に、厚さ１０ｍｍの遊技盤６はそのままでは取り付けることができない。遊技盤６にスペーサ１１を重ね合わせることで全体としての取付け部の厚さを１９ｍｍとし、従来の遊技盤が取付可能な前枠９に、この遊技盤６を取り付けられるようにしている（取付け補助機能）。
【００３３】
なお、遊技盤６の補強機能向上のために、スペーサ１１は遊技盤６の左右側辺６ｅ，６ｆと上側辺６ｈとを覆う形状となっている。ただし、遊技盤６の前枠９に対する取付け高さ位置は、遊技盤６の下側辺６ｊを基準とするので、遊技盤６の下側辺６ｊはスペーサ１１によって覆われておらず、下方に露出している。
【００３４】
遊技盤６の後面６ｇにスペーサ１１を重ねることで、両者の取付けが行われる。このとき、遊技盤６とスペーサ１１との上下左右方向における位置決めは、位置決め構造によって行われる。位置決め構造は、遊技盤６の後面６ｇに形成された位置決め穴（第２位置決め穴）１７とスペーサ１１の前面１１ｃに前方（遊技盤６側）に向けて突出する位置決めボス（第２位置決めボス）１８とを有している。ここで、位置決め穴１７は、大径穴（第２大径穴）１７ａと小径穴（第２小径穴）１７ｂとを有している。位置決めボス１８は、大径ボス（第２大径ボス）１８ａと小径ボス（第２小径ボス）１８ｂとを有している。すなわち、位置決め構造は、径の異なる複数種類の位置決めボスと位置決め穴とを有している。
【００３５】
図６は、本実施形態１における位置決め構造を説明するための模式断面図である。図６（ａ）は、大径ボス１８ａと大径穴１７ａの模式断面図であり、図６（ｂ）は小径ボス１８ｂと小径穴１７ｂの模式断面図である。位置決めボス１８は典型的には円柱形状の凸部であり、位置決め穴１７は典型的には円柱形状の凹部である。大径穴１７ａは大径ボス１８ａが挿入可能な寸法とされており、小径穴１７ｂは小径ボス１８ｂが挿入可能な寸法とされている。小径ボス１８ｂのボス径（直径）ＤＳＢは、大径ボス１８ａのボス径ＤＬＢよりも小径とされている。また、小径ボス１８ｂのボス長（すなわち、スペーサ１１の前面１１ｃからの前方への突出長）ＬＳＢは、大径ボス１８ａのボス長ＬＬＢよりも短くされている。
【００３６】
より具体的には、図６（ａ），（ｂ）に示すように、大径ボス１８ａのボス径ＤＬＢはφ５ｍｍ、ボス長ＬＬＢは８ｍｍ、小径ボス１８ｂのボス径ＤＳＢはφ２．４ｍｍ、ボス長ＬＳＢは４ｍｍとされる。また、大径穴１７ａの穴径ＤＬＨはφ５．４ｍｍ、穴深さＬＬＨは１０ｍｍ、小径穴１７ｂの穴径ＤＳＨはφ２．６ｍｍ、穴深さＬＳＨは５ｍｍとされる。もちろん、これらは具体例であり、本発明の趣旨はこれらの寸法に限定されない。本実施形態１においては、遊技盤６の厚さが１０ｍｍであり、大径穴の穴深さが１０ｍｍであるので、大径穴１７ａは貫通孔である。ボス長ＬＬＢが８ｍｍであるので、遊技盤６の表面６ａから突出することはない。
【００３７】
また、大径ボス１８ａのボス長ＬＬＢよりも小径ボス１８ｂのボス長ＬＳＢが短くされているのは、遊技盤６とスペーサ１１との組付けの際に、大径ボス１８ａの大径穴１７ａへの挿入が先に又は略同時的に行われ、小径ボス１８ｂの小径穴１７ｂへの挿入がその後又は略同時的に行われることを趣旨とするものであるので、必ずしもボス長ＬＬＢよりもボス長ＬＳＢが短くされる必要はない。本実施形態１のように、遊技盤６の後面６ｇもスペーサ１１の前面１１ｃも平面である場合には、ボス長ＬＬＢよりもボス長ＬＳＢの方が短くされる必要があるが、たとえボス長ＬＬＢ≦ボス長ＬＳＢであっても、大径ボス１８ａの大径穴１７ａへの挿入が小径ボス１８ｂの小径穴１７ｂへの挿入よりも若干先又は略同時に行われるように構成されていればよい。
【００３８】
本実施形態１における位置決め穴１７及び位置決めボス１８の配置を図７及び図８に示す。図７は、遊技盤６の背面図であり、図８は、スペーサ１１の正面図である。図８に示すように、スペーサ１１の前面１１ｃに、その四隅近傍に４個の大径ボス１８ａが配置されている。小径ボス１８ｂは、大径ボス１８ａの近傍位置（例えば、距離にして３０ｍｍ以内）に少なくとも１個が配置されている。小径ボス１８ｂは、更に大径ボス１８ａと大径ボス１８ａとの間、すなわち、２つの大径ボス１８ａを結ぶ直線に沿って位置されている。２つの大径ボス１８ａを結ぶ直線から所定範囲内（例えば、距離にして３０ｍｍ以内）に１個又は複数の小径ボス１８ｂが配置されており、小径ボス１８ｂ間のピッチ及び大径ボス１８ａ〜小径ボス１８ｂ間のピッチが大略一定間隔であることが好ましい。一定間隔とは、例えば、２つの大径ボス１８ａの間に１個の小径ボス１８ｂが配置される場合は、２つの大径ボス１８ａ間の距離の略真ん中であることが好ましく、２個の小径ボス１８ｂが配置される場合は、略３等分の距離であることが好ましく、３個の小径ボス１８ｂが配置される場合は、略４等分の距離であることが好ましい、との趣旨である。
【００３９】
スペーサ１１の前面１１ｃには、数個のネジ用孔１１ｄが貫通形成されている。このネジ用孔１１ｄは、遊技盤６とスペーサ１１とを締結するためのネジをスペーサ１１の後方から挿通させるための貫通孔であり、後述するように、遊技盤６の小径穴１７ｂに対応する位置に形成されている。
【００４０】
図７に示すように、遊技盤６の後面６ｇには、遊技盤６とスペーサ１１とを組み付けた際に大径ボス１８ａに対応する位置に大径穴１７ａが４個配置されている。遊技盤６の後面６ｇには、小径穴１７ｂも配置されており、そのうちのいくつかは小径ボス１８ｂの位置に対応しており、いくつかはネジ用孔１１ｄの位置に対応している。遊技盤６に対してスペーサ１１を組み付ける際には、遊技盤６の後面６ｇにスペーサ１１の前面１１ｃを被せるように重ねる。このとき、まずボス長ＬＬＢが長い４個の大径ボス１８ａが４個の大径穴１７ａに挿入される。それにより、遊技盤６とスペーサ１１との全体的な位置決めが正確に行われる。
【００４１】
大径ボス１８ａは、その先端に挿入ガイドとしてのテーパ面１８ｃを有している。そのため、組付け当初に両者に多少の位置ずれがあった場合であっても、テーパ面１８ｃが挿入ガイドとして機能し、大径穴１７ａを受けて多少の位置ずれを補正する。したがって、遊技盤６とスペーサ１１との位置決めが容易に行える。
【００４２】
その後、スペーサ１１の前面１１ｃを遊技盤６の後面６ｇに更に近づけると、今度はボス長ＬＳＢの短い小径ボス１８ｂが小径穴１７ｂに挿入される。小径ボス１８ｂも、その先端に挿入ガイドとしてのテーパ面１８ｄを有しており、小径ボス１８ｂの小径穴１７ｂへの挿入が容易となっている。
【００４３】
なお、大径穴１７ａにおける大径ボス１８ａの挿入口付近や小径穴１７ｂにおける小径ボス１８ｂの挿入口付近にも、各々ボスの先端を受けて挿入を容易とするテーパ面が設けられていてももちろんよい。
【００４４】
まず大径ボス１８ａが大径穴１７ａに挿入されるようになっているので、遊技盤６とスペーサ１１との全体的な位置決めを容易に行うことができる。その後に小径ボス１８ｂが小径穴１７ｂに挿入されるようになっているので、各部分部分における遊技盤６とスペーサ１１との位置決めも容易かつ正確に行うことができる。
【００４５】
例えば、スペーサ１１の左側辺１１ａの部品幅が細く、この左側辺１１ａ部分においてスペーサ１１が部分的に歪んでしまった場合に、４個の大径ボス１８ａと大径穴１７ａとで遊技盤６とスペーサ１１との全体的な位置決めが行われていても、遊技盤６の左側辺６ｅとスペーサ１１の左側辺１１ａとでは位置ずれが生じてしまう場合がある。しかしながら、このパチンコ機２はこの実施形態１に係る位置決め構造を有しているので、遊技盤６の左側辺６ｅとスペーサ１１の左側辺１１ａとの間でも小径ボス１８ｂと小径穴１７ｂとによる位置決めが行われる。たとえ遊技盤６やスペーサ１１に部分的に歪んだ箇所が生じていても、全体的な位置決めのみならず各部分部分における位置決めも正確に行うことができる。
【００４６】
大径ボス１８ａ及び小径ボス１８ｂによる位置決めが完了した後に、スペーサ１１の後方からネジ用孔１１ｄにネジを挿通させ、ネジ用孔１１ｄと小径穴１７ｂとを用いて遊技盤６とスペーサ１１とが締結される。
【００４７】
本実施形態１においては、大径ボス１８ａの個数ＸＬＢが４個で大径穴１７ａの個数ＸＬＨも４個であり、ＸＬＢ＝ＸＬＨの関係が成立している。小径ボス１８ｂの個数ＸＳＢは１１個で小径穴１７ｂの個数ＸＳＨが１３個であり、ＸＳＢ＜ＸＳＨの関係が成立している。また、大径ボス１８ａの個数ＸＬＢと小径ボス１８ｂの個数ＸＳＢとの関係は、ＸＬＢ＜ＸＳＢである。
【００４８】
なお、もちろん大径ボス１８ａの個数は大径穴１７ａの個数よりも少なくてもよいので、この位置決め構造の趣旨は、以下の数式で表すことができる。すなわち、
ＸＬＢ≦ＸＬＨ
ＸＳＢ＜ＸＳＨ
ＸＬＢ＜ＸＳＢ
である。
【００４９】
本実施形態１においては、スペーサ１１の前面１１ｃに小径ボス１８ｂとネジ用孔１１ｄとが配置され、遊技盤６の後面６ｇにおいてそれらに対応する位置に小径穴１７ｂが配置されている。もちろん、遊技盤６側に小径ボス１８ｂとネジ用孔１１ｄとが配置され、スペーサ１１側に複数の小径穴１７ｂが配置されてもよい。複数の小径穴１７ｂのうち、いずれの小径穴１７ｂに対応して小径ボス１８ｂを配置し、いずれの小径穴１７ｂに対応してネジ用孔１１ｄを配置するかは、配置の都合により変更可能である。もちろん、スペーサ１１と遊技盤６のいずれに大径ボス１８ａを配置し、いずれに大径穴１７ａを配置するかについても限定されない。
【００５０】
例えば、スペーサ１１を共通として異なる複数種類の遊技盤６を使用する場合や、逆に共通の遊技盤６に対して異なる複数種類のスペーサ１１を用いる場合において、小径ボス１８ｂやネジ用孔１１ｄの配置は、小径穴１７ｂの位置に対応する限りにおいて自由に設定可能である。また、小径穴１７ｂのすべてを小径ボス１８ｂかネジ用孔１１ｄのいずれかに使用する必要もなく、使用しない小径穴１７ｂが余っていても問題はない。遊技盤６又はスペーサ１１の種類によって、使用する小径穴１７ｂと使用しない小径穴１７ｂとが異なっていても構わない。
【００５１】
［実施形態２］
図９は、実施形態２に係る遊技盤ユニット６０において、スペーサ６１を後方ユニット６３に対して前方開放した状態を示す外観斜視図である。図９においては、スペーサ６１及び後方ユニット６３の左側辺６１ａ，６３ａ側を中心として右側辺６１ｂ，６３ｂ側を前後に大きく開放した状態を示している。
【００５２】
このスペーサ６１は、実施形態１に係るスペーサ１１と略同様の構成を有している。後方ユニット６３も実施形態１に係る後方ユニット１３と略同様の構成を有している。後方ユニット６３は、スペーサ６１の後面６１ｃに位置決めされた上で取り付けられている。この両者の位置決めは、位置決め構造を利用して行われる。
【００５３】
スペーサ６１の後面６１ｃには、格子状の多数のリブ６１ｄが立設形成されており、スペーサ６１の肉厚を均一に維持しつつ強度を確保している。スペーサ６１の後面６１ｃには、第３位置決め穴６５が配置され、後方ユニット６３の前面６３ｃには、第３位置決めボス６６が配置され、これらが位置決め構造を構成している。
【００５４】
第３位置決め穴６５は、スペーサ６１の後面６１ｃに形成された大径穴（第３大径穴）６５ａを有している。第３位置決めボス６６は、後方ユニット６３の前面６３ｃにおいてスペーサ６１側に突出する大径ボス（第３大径ボス）６６ａを有している。なお、第３位置決め穴６５は、スペーサ６１の後面６１ｃに形成された複数の小径穴（第３小径穴）６５ｂも有し、第３位置決めボス６６は、後方ユニット６３の前面６３ｃに形成された複数の小径ボス（第３小径ボス）６６ｂも有している。すなわち、位置決め構造は、径の異なる複数種類の第３位置決めボスと第３位置決め穴とを有している。
【００５５】
図１０は、本実施形態２における位置決め構造を説明するための模式断面図である。図１０（ａ）は、大径ボス６６ａと大径穴６５ａの模式断面図であり、図６（ｂ）は小径ボス６６ｂと小径穴６６の模式断面図である。第３位置決めボス６６は典型的には円柱形状の凸部であり、第３位置決め穴６５は典型的には円柱形状の凹部である。大径穴６５ａは大径ボス６６ａが挿入可能な寸法とされており、小径穴６５ｂは小径ボス６６ｂが挿入可能な寸法とされている。小径ボス６６ｂのボス径（直径）ＤＳＢ３は、大径ボス６６ａのボス径ＤＬＢ３よりも小径とされている。また、小径ボス６６ｂのボス長（すなわち、後方ユニット６３の前面６３ｃからの前方への突出長）ＬＳＢ３は、大径ボス６６ａのボス長ＬＬＢ３よりも短くされている。
【００５６】
より具体的には、図１０（ａ），（ｂ）に示すように、大径ボス６６ａのボス径ＤＬＢ３はφ５ｍｍ、ボス長ＬＬＢ３は８ｍｍ、小径ボス６６ｂのボス径ＤＳＢ３はφ２．４ｍｍ、ボス長ＬＳＢ３は４ｍｍとされる。また、大径穴６５ａの穴径ＤＬＨ３はφ５．４ｍｍ、穴深さＬＬＨ３は１０ｍｍ、小径穴６５ｂの穴径ＤＳＨ３はφ２．６ｍｍ、穴深さＬＳＨ３は５ｍｍとされる。もちろん、これらは具体例であり、本発明の趣旨はこれらの寸法に限定されない。
【００５７】
また、大径ボス６６ａのボス長ＬＬＢ３よりも小径ボス６６ｂのボス長ＬＳＢ３が短くされているのは、スペーサ１３と後方ユニット６３との組付けの際に、大径ボス６６ａの大径穴６５ａへの挿入が先に又は略同時的に行われ、小径ボス６６ｂの小径穴６５ｂへの挿入がその後又は略同時的に行われることを趣旨とするものであるので、必ずしもボス長ＬＬＢ３よりもボス長ＬＳＢ３が短くされる必要はない。スペーサ６１の後面６１ｃも後方ユニット６３の前面６３ｃも平面である場合には、ボス長ＬＬＢ３よりもボス長ＬＳＢ３の方が短くされる必要があるが、たとえボス長ＬＬＢ３≦ボス長ＬＳＢ３であっても、大径ボス６６ａの大径穴６５ａへの挿入が小径ボス６６ｂの小径穴６５ｂへの挿入よりも若干先又は略同時に行われるように構成されていればよい。
【００５８】
大径ボス６６ａは、後方ユニット６３の四隅に加え、その他の主要部分に合計１２個配置されている。後方ユニット６３は、複数のサブユニットが相互に締結されたり嵌合されたりすることによって全体として一体化された集合体である。大径ボス６６ａは、後方ユニット６３を構成する複数のサブユニットのうちのいくつかに設けられている。そうすることで、各サブユニットのスペーサ６１に対する位置精度を向上させることができる。
【００５９】
小径ボス６６ｂは、大径ボス６６ａの近傍位置（例えば、距離にして３０ｍｍ以内）に少なくとも１個が配置されている。小径ボス６６ｂは、更に大径ボス６６ａと大径ボス６６ａとの間、すなわち、２つの大径ボス６６ａを結ぶ直線に沿って位置されている。２つの大径ボス６６ａを結ぶ直線から所定範囲内（例えば、距離にして３０ｍｍ以内）に１個又は複数の小径ボス６６ｂが配置されており、小径ボス６６ｂ間のピッチ及び大径ボス６６ａ〜小径ボス６６ｂ間のピッチが大略一定間隔であることが好ましい。一定間隔とは、例えば、２つの大径ボス６６ａの間に１個の小径ボス６６ｂが配置される場合は、２つの大径ボス６６ａ間の距離の略真ん中であることが好ましく、２個の小径ボス６６ｂが配置される場合は、略３等分の距離であることが好ましく、３個の小径ボス６６ｂが配置される場合は、略４等分の距離であることが好ましい、との趣旨である。
【００６０】
後方ユニット６３の前面６３ｃには、数個のネジ用孔６３ｄが貫通形成されている。このネジ用孔６３ｄは、スペーサ６１と後方ユニット６３とを締結するためのネジを後方ユニット６３の後方又はスペーサ６１の前方から挿通させるための貫通孔であり、スペーサ６１の小径穴６５ｂに対応する位置に形成されている。
【００６１】
各大径ボス６６ａに対応して、スペーサ６１の後面６１ｃに大径穴６５ａが形成されている。スペーサ６１の後方から後方ユニット６３を組み付ける際に、まず大径穴６５ａに対して大径ボス６６ａが挿入されることにより、両者の全体的な位置決めが行われる。その後に、小径ボスが小径穴に挿入されることで、スペーサ６１と後方ユニット６３との全体的な位置決めだけでなく、各部分部分における位置決めも高精度に行われる。
【００６２】
例えば、スペーサ６１の右下方位置に配置された大径穴６５ａにおいては、その周囲の一定範囲においてリブ６１ｄが形成されておらず、平面領域６１ｅが形成されている。後方ユニット６３をスペーサ６１に組み付ける際、大径穴６５ａの位置が見え難い状態で大径ボス６６ａを挿入しなければならない場合がある。大径穴６５ａの周囲近傍に平面領域６１ｅが形成されていれば、大径ボス６６ａが誤ってリブ６１ｄとリブ６１ｄとの間の隙間に嵌り込んでしまうことが防止され、円滑に大径穴６５ａへと挿入することができる。
【００６３】
大径ボス６６ａは、その先端に挿入ガイドとしてのテーパ面６８ｃを有している。そのため、組付け当初に両者に多少の位置ずれがあった場合であっても、テーパ面６８ｃが挿入ガイドとして機能し、大径穴６５ａを受けて多少の位置ずれを補正する。したがって、スペーサ６１と後方ユニット６３との位置決めが容易に行える。
【００６４】
その後、スペーサ６１の後面６１ｃと後方ユニット６３の前面６３ｃとを更に近づけると、今度はボス長ＬＳＢ３の短い小径ボス６６ｂが小径穴６５ｂに挿入される。小径ボス６６ｂも、その先端に挿入ガイドとしてのテーパ面６８ｄを有しており、小径ボス６６ｂの小径穴６５ｂへの挿入が容易となっている。
【００６５】
なお、大径穴６５ａにおける大径ボス６６ａの挿入口付近や小径穴６５ｂにおける小径ボス６６ｂの挿入口付近にも、各々ボスの先端を受けて挿入を容易とするテーパ面が設けられていてももちろんよい。
【００６６】
まず大径ボス６６ａが大径穴６５ａに挿入されるようになっているので、スペーサ６１と後方ユニット６３との全体的な位置決めを容易に行うことができる。その後に小径ボス６６ｂが小径穴６５ｂに挿入されるようになっているので、各部分部分におけるスペーサ６１と後方ユニット６３との位置決めも容易かつ正確に行うことができる。
【００６７】
大径ボス６６ａ及び小径ボス６６ｂによる位置決めが完了した後に、後方ユニット６３の後方又はスペーサ６１の前方からネジ用孔６３ｄにネジを挿通させ、ネジ用孔６３ｄと小径穴６６ｂとを用いてスペーサ６１と後方ユニット６３とが締結される。
【００６８】
本実施形態２においては、大径ボス６６ａの個数ＸＬＢ３、大径穴６５ａの個数ＸＬＨ３、小径ボス６６ｂの個数ＸＳＢ３、小径穴６５ｂの個数ＸＳＨ３との間に、以下の関係が成立している。
【００６９】
ＸＬＢ３≦ＸＬＨ３
ＸＳＢ３＜ＸＳＨ３
ＸＬＢ３＜ＸＳＢ３
である。
【００７０】
本実施形態２においては、後方ユニット６３の前面６３ｃに小径ボス６６ｂとネジ用孔６３ｄとが配置され、スペーサ６１の後面６１ｃにおいてそれらに対応する位置に小径穴６５ｂが配置されている。もちろん、スペーサ６１側に小径ボス６６ｂとネジ用孔６３ｄとが配置され、後方ユニット６３側に複数の小径穴６５ｂが配置されてもよい。複数の小径穴６５ｂのうち、いずれの小径穴６５ｂに対応して小径ボス６６ｂを配置し、いずれの小径穴６５ｂに対応してネジ用孔６３ｄを配置するかは、配置の都合により変更可能である。もちろん、スペーサ６１と後方ユニット６３のいずれに大径ボス６６ａを配置し、いずれに大径穴６５ａを配置するかについても限定されない。
【００７１】
例えば、スペーサ６１を共通として異なる複数種類の後方ユニット６３を使用する場合や、逆に共通の後方ユニット６３に対して異なる複数種類のスペーサ６１を用いる場合において、小径ボス６６ｂやネジ用孔６３ｄの配置は、小径穴６５ｂの位置に対応する限りにおいて自由に設定可能である。また、小径穴６５ｂのすべてを小径ボス６６ｂかネジ用孔６３ｄのいずれかに使用する必要もなく、使用しない小径穴６５ｂが余っていても問題はない。スペーサ６１６又は後方ユニット６３の種類によって、使用する小径穴６５ｂと使用しない小径穴６５ｂとが異なっていても構わない。
【００７２】
［実施形態３］
上記実施形態１においては、遊技盤６と、その後方に取り付けられるスペーサ１１との間での位置決めを実現する位置決め構造について説明した。上記実施形態２においては、遊技盤６の後方に配置されたスペーサ６１と後方ユニット６３との間での位置決めを実現する位置決め構造について説明した。本実施形態３においては、スペーサ１１，６１が省略され、遊技盤６の後方に後方ユニット６３が取り付けられる場合の、遊技盤６と後方ユニット６３との間での位置決めを実現する位置決め構造について説明する。
【００７３】
上述したように、パチンコ機２がスペーサ１１，６１を不要とする場合、遊技盤６の後面６ｇに後方ユニット６３が直接取り付けられる。この場合の、遊技盤６と後方ユニット６３との位置決めは、位置決め構造によって実現される。この位置決め構造は、遊技盤の後面６ｇに配置された第１位置決めボスと後方ユニット６３の前面６３ｃに配置された第１位置決め穴とを有している。
【００７４】
ここで、第１位置決め穴は、実質的に上述の第２位置決め穴１７と同様の構成であってよい。すなわち、第１位置決め穴は、大径穴１７ａとそれより小径の小径穴１７ｂとを有している。また、第１位置決めボスは、実質的に上述の第３位置決めボス６６と同様の構成であってよい。すなわち、第１位置決めボスは、大径ボス６６ａとそれより小径の小径ボス６６ｂとを有している。
【００７５】
そして、実施形態３においては、第１位置決めボスが第１位置決め穴に挿入されて、遊技盤６と後方ユニット６３との位置決めが行われる。つまり、大径ボス６６ａが大径穴１７ａに挿入可能となっており、小径ボス６６ｂが小径穴１７ｂに挿入可能となっている。大径ボス６６ａの配置位置が大径穴１７ａの配置位置に対応しており、小径ボス６６ｂの配置位置が小径穴１７ｂの配置位置に対応している。後方ユニット６３の前面６３ｃには、ネジ用孔６３ｄが形成されており、そのネジ用孔６３ｄの配置位置は、小径穴１７ｂの配置位置に対応している。
【００７６】
大径ボス６６ａのボス長は、小径ボス６６ｂのボス長よりも長くされており、遊技盤６に後方ユニット６３を組み付ける際に、大径ボス６６ａが大径穴１７ａに挿入されるのと略同時的又は若干遅れて小径ボス６６ｂが小径穴１７ｂに挿入されるようになっている。大径ボス６６ａの個数は、大径穴１７ａの個数以下であり、かつ、小径ボス６６ｂの個数未満である。小径ボス６６ｂの個数は小径穴１７ｂの個数未満である。
【００７７】
大径ボス６６ａ及び小径ボス６６ｂの各々の先端部分には、挿入を容易とするためのテーパ面が形成されている。また、大径穴１７ａ及び小径穴１７ｂの挿入口付近にもボスの挿入を容易とするためのテーパ面が形成されていてもよい。その他、第１位置決めボスの構成、第１位置決め穴の構成、及び両者の関係については、第１位置決めボスの構成、第１位置決め穴の構成、及び両者の関係と略同様である。
【符号の説明】
【００７８】
ＤＬＢ，ＤＬＢ３：大径ボスのボス径
ＤＬＨ，ＤＬＨ３：大径穴の穴径
ＤＳＢ，ＤＳＢ３：小径ボスのボス径
ＤＳＨ，ＤＳＨ３：小径穴の穴径
ＬＬＢ，ＬＬＢ３：大径ボスのボス長
ＬＬＨ，ＬＬＨ３：大径穴の穴深さ
ＬＳＢ，ＬＳＢ３：小径ボスのボス長
ＬＳＨ，ＬＳＨ３：小径穴の穴深さ
ＸＬＢ，ＸＬＢ３：大径ボスの個数
ＸＬＨ，ＸＬＨ３：大径穴の個数
ＸＳＢ，ＸＳＢ３：小径ボスの個数
ＸＳＨ，ＸＳＨ３：小径穴の個数
２：パチンコ機（遊技機）
３：遊技機枠
４：外枠
５，６０：遊技盤ユニット
６：遊技盤
６ａ：表面（遊技盤面）
６ｂ：センター開口
６ｃ：開口
６ｄ：切欠き
６ｅ：左側辺
６ｆ：右側辺
６ｇ：後面
６ｈ：上側辺
６ｊ：下側辺
７：センター役物（前方ユニットの一部）
８：前方ユニット
９：前枠
９ａ：中央開口
１０：ガラス
１１，６１：スペーサ（基盤部材）
１１ａ：左側辺
１１ｂ：右側辺
１１ｃ：前面
１１ｄ：ネジ用孔
１２：ガラス枠
１３，６３：後方ユニット（役物ユニット）
１３ａ：中央開口
１４：球皿
１４ａ：上球皿
１４ｂ：下球皿
１５：発射装置ハンドル
１６：遊技領域
１７：位置決め穴（第２位置決め穴）
１７ａ：大径穴（第２大径穴）
１７ｂ：小径穴（第２小径穴）
１８：位置決めボス（第２位置決めボス）
１８ａ：大径ボス（第２大径ボス）
１８ｂ：小径ボス（第２小径ボス）
１８ｃ，１８ｄ：テーパ面
２２：ヒンジ
２３：遊技球
２６：レール飾り（前方ユニットの一部）
２６ａ：外レール
２９：始動入賞口（前方ユニットの一部）
２９ａ：開口
３２：装飾部材
６１ａ，６３ａ：左側辺
６１ｂ，６３ｂ：右側辺
６１ｃ：後面
６１ｄ：リブ 
６１ｅ：平面領域
６３ｃ：前面
６３ｄ：ネジ用孔
６５：第３位置決め穴
６５ａ：大径穴（第３大径穴）
６５ｂ：小径穴（第３小径穴）
６６：第３位置決めボス
６６ａ：大径ボス（第３大径ボス）
６６ｂ：小径ボス（第３小径ボス）
６８ｃ，６８ｄ：テーパ面
【図１】
0005924811.tif 000002
【図２】
0005924811.tif 000003
【図３】
0005924811.tif 000004
【図４】
0005924811.tif 000005
【図５】
0005924811.tif 000006
【図６】
0005924811.tif 000007
【図７】
0005924811.tif 000008
【図８】
0005924811.tif 000009
【図９】
0005924811.tif 000010
【図１０】
0005924811.tif 000011